(57)【要約】【目的】電子スチル・カメラを用いて得られた画像データによって表される画像を外出先で印刷できるようにラボラトリの場所をユーザに知らせることができるようにする。【構成】被写体を撮像し，被写体像を表す画像データをメモリ・カード60に記録する液晶表示装置２を備えた電子カメラにおいて，与えられる地図データにもとづいて，メモリ・カード60に記録された画像を印刷するラボラトリの場所を含む地図を表す画像を表示する。電子カメラの現在位置を検出し，検出された現在位置を，液晶表示装置２に表示された地図画像上に表示する。【選択図】   図10
2006230005.tif 000002
【特許請求の範囲】
【請求項１】
被写体を撮像し，被写体像を表す画像データを記録媒体に記録する電子カメラにおいて，
被写体の撮像により得られる画像データによって表される画像を表示する画像表示装置，
与えられる地図データにもとづいて，上記記録媒体に記録された画像データによって表される画像を印刷するラボラトリの場所を含む地図を表す画像を表示するように，上記画像表示装置を制御する地図画像表示制御手段，
電子カメラの現在位置を検出する現在位置検出手段，および
上記現在位置検出手段により検出された現在位置を，上記画像表示装置に表示された地図画像上に表示する現在位置表示制御手段，
を備えた電子カメラ。
【請求項２】
被写体を撮像し，被写体像を表す画像データを記録媒体に記録し，被写体の撮像により得られる画像データによって表される画像を表示する画像表示装置を備えた電子カメラにおいて，
与えられる地図データにもとづいて，上記記録媒体に記録された画像データによって表される画像を印刷するラボラトリの場所を含む地図を表す画像を表示するように，上記画像表示装置を制御し，
電子カメラの現在位置を検出し，
検出された現在位置を，上記画像表示装置に表示された地図画像上に表示する，
電子カメラの動作制御方法。
【発明の詳細な説明】
【技術分野】
【０００１】
この発明は，電子カメラおよびその動作制御方法に関する。
【背景技術】
【０００２】
電子スチル・カメラは，ＣＣＤを用いて被写体を撮像することにより被写体像を表す画像データを得，得られた画像データをメモリ・カード，半導体メモリなどに記録するものである。電子スチル・カメラにおいては，撮像した被写体像を表す画像を表示するために液晶表示装置が設けられているものが多い。
【０００３】
光学的ビューファインダの代わりに液晶表示装置が設けられた電子スチル・カメラにおいては、液晶表示装置上に撮影により得られた被写体像を表示することもできる。
【０００４】
このように電子スチル・カメラに液晶表示装置が設けられていると，カメラの小型化にも限界がある。したがって持ち運びにも不便となる。
【０００５】
また一方，電子スチル・カメラを用いて被写体を撮像して得られた画像データは，パーソナル・コンピュータに入力することにより，パーソナル・コンピュータと接続されたプリンタを用いて印刷されることが多い。しかしながら、電子スチル・カメラを持って外出しているときには、その外出先で印刷することは難しい。
【０００６】
さらに，電子スチル・カメラを用いて撮影した画像をプリント・ショップ，ラボラトリ等でプリントするためには現金を持ち歩く必要がある。
【発明の開示】
【０００７】
この発明は，比較的簡単に持ち運びができる電子スチル・カメラを提供することを目的とする。
【０００８】
また，この発明は，電子スチル・カメラを用いて得られた画像データによって表される画像を外出先で印刷できるようにラボラトリの場所をユーザに知らせることができるようにすることを目的とする。
【０００９】
さらに，この発明は，画像の印刷代金を現金なしで支払うことができるようにすることを目的とする。
【００１０】
第１の発明による電子カメラは，第１の半体と第２の半体とから構成され，上記第１の半体と上記第２の半体とは，それらの一面が合わさって閉じている状態から180 度以上に開くことが可能なように，互いに一辺で回転自在に結合されており、上記第１の半体の上記一面に画像表示装置が設けられ，上記第２の半体に撮像手段が設けられていることを特徴とする。この画像表示装置は、撮像手段が捉えている被写体像を表示して、ビューファインダとして用いることもできるし、撮像手段によって撮像した画像を表示することもできる。
【００１１】
第１の発明によると，電子カメラは，上記第１の半体と上記第２の半体とから構成されている。上記第１の半体と上記第２の半体とは一面が合わさって閉じることが可能である。閉じることにより大きさが小さくなるので，持ち運びに便利である。
【００１２】
さらに，上記第１の半体と上記第２の半体とは閉じている状態から180 度以上に開くことが可能である。撮影時には，上記第１の半体と上記第２の半体とを180度以上（たとえば270度）に開くことにより，画像表示装置の表示画面をユーザの見やすい姿勢とし、かつ撮像レンズを被写体に向けることができる。この場合、撮像レンズを、上記第２の半体の自由端側の端面に設けることが好ましい。
【００１３】
上記第１の半体と上記第２の半体とはほぼ同じ大きさであることが好ましい。上記第１の半体と上記第２の半体とを閉じた大きさは，上記第１の半体と上記第２の半体とを開いた大きさのほぼ半分の大きさとなる。携帯に便利となる。
【００１４】
上記第１の半体にシャッタ・レリーズ・ボタンを設けることが好ましい。上記第１の半体を，上記第２の半体から180度以上の角度を広げることにより上記第１の半体の一面に設けられた表示装置の表示画面がユーザの見やすい位置にくる。ユーザは，上記第１の半体に設けられた表示装置を見て被写体像を確認しながらシャッタ・レリーズ・ボタンを押すことができる。操作性に優れるようになる。
【００１５】
また，被写体を記録する記録モードおよび与えられる画像データによって表される画像を上記画像表示装置に表示する再生モードのいずれか一方を設定するモード設定スイッチを上記第１の半体に設けるようにしてもよい。上記第１の半体と上記第２の半体とを開いた状態でモード設定ができるようになる。
【００１６】
第２の発明は，被写体を撮像し，被写体像を表す画像データを記録媒体に記録する電子カメラにおいて，被写体の撮像により得られる画像データによって表される画像を表示する画像表示装置，与えられる地図データにもとづいて，上記記録媒体に記録された画像データによって表される画像を印刷するラボラトリの場所を含む地図を表す画像を表示するように，上記画像表示装置を制御する地図画像表示制御手段，電子カメラの現在位置を検出する現在位置検出手段，および上記現在位置検出手段により検出された現在位置を，上記画像表示装置に表示された地図画像上に表示する現在位置情報表示制御手段を備えていることを特徴とする。
【００１７】
第２の発明は，上記電子カメラに適した動作制御方法も提供している。すなわち，この方法は，被写体を撮像し，被写体像を表す画像データを記録媒体に記録し，被写体の撮像により得られる画像データによって表される画像を表示する画像表示装置を備えた電子カメラにおいて，与えられる地図データにもとづいて，上記記録媒体に記録された画像データによって表される画像を印刷するラボラトリの場所を含む地図を表す画像を，表示するように，上記画像表示装置を制御し，電子カメラの現在位置を検出し，検出された現在位置を，上記画像表示装置に表示された地図画像上に表示するものである。
【００１８】
第２の発明によると，上記画像表示装置に上記ラボラトリの場所を含む地図を表す画像が表示される。この地図を表す画像上には電子カメラの現在位置を表す情報も表示される。
【００１９】
電子カメラのユーザは，画像表示装置の表示を見ることにより電子カメラを持つユーザ自身がいる場所に近いラボラトリを知ることができる。そのラボラトリを利用して電子カメラを用いて被写体を撮像して得られた画像データによって表される画像をプリントすることができるようになる。
【００２０】
第３の発明は，被写体を撮像し，被写体像を表す画像データを記録媒体に記録する電子カメラにおいて，価値情報を入力する価値情報入力手段，上記価値情報入力手段から入力された価値情報を，上記記録媒体に記録する価値情報記録制御手段，与えられる支払い指令および支払い代金に応じて上記記録媒体に記録されている価値情報のうち，上記支払い代金に相当する価値情報を出力する価値情報出力手段，ならびに上記記録媒体に記録されている価値情報から，上記価値情報出力手段から出力される価値情報を消去する現金データ消去手段を備えていることを特徴とする。
【００２１】
第３の発明は，被写体を撮像し，被写体像を表す画像データを記録媒体に記録する電子カメラにおいて，価値情報を入力し，入力された価値情報を，上記記録媒体に記録し，与えられる支払い指令および支払い代金に応じて上記記録媒体に記録されている価値情報のうち，上記支払い代金に相当する価値情報を出力し，上記記録媒体に記録されている価値情報から，出力される価値情報を消去することを特徴とする。
【００２２】
第３の発明によると，上記電子カメラを用いて上記記録媒体に価値情報を記録することができる。電子カメラに支払い指令および支払い代金が与えられると，その支払い代金に応じた価値情報が，上記記録媒体に記録されている価値情報から消去される。
【００２３】
現金の持ち合わせが無くとも上記電子カメラを用いて代金の支払いを行うことが可能となる。
【００２４】
電子カメラのユーザの預貯金口座の残高を確認して，上記記録媒体に価値情報を記録することとなろう。上記記録媒体から上記価値情報が消去されるときには，上記価値情報の支払いに対応して，電子カメラのユーザの預貯金口座から価値情報によって表される代金相当額が代金の支払いを受ける者に対して引き出される。
【００２５】
上記記録媒体に記録されている画像データによって表される画像のうちプリントすべき画像を指定し，指定された画像を表す画像データに関連づけて，プリントすべき画像であることを表すプリント画像識別データを上記記録媒体に記録し，記録されている上記プリント画像識別データによって指定されるプリント画像データを出力することもできる。
【００２６】
プリント代金の支払いを上記電子カメラを用いて行うことができる。
【実施例】
【００２７】
図１は，この実施例による電子カメラの平面図，図２は，電子カメラの左側面図である。図１において電子カメラの左側の側面を左側面図、右側の側面を右側面図とする。
【００２８】
電子カメラは，第１の半体１と，第２の半体20とから構成されている。第１の半体１および第２の半体20はいずれもケース（プラスチックなどから構成される）を有している。ケース内に電子回路が内蔵されている。
【００２９】
第１の半体１のケースと第２の半体20のケースとはロッド15を中心に回転自在に結合されている。図１および図２においては第１の半体１と第２の半体20とは180度開いた状態で示されている。第１の半体１のケースの結合端12には、その両側においてケースの長手方向に突出した中空の２つの円柱状の中空部16が形成されている。第２の半体20の結合端32にはケースの長手方向に突出した円柱状の中空の中空部28が形成されている。この中空部28は、第１の半体１の２つの中空部16に間に入り込んでいる。中空部16と中空部28の中のそれぞれの中空にロッド15が通されている。
【００３０】
第１の半体１のケースの内面（図１に示されている面）11は，ほぼ平坦に形成されている。この内面11の自由端13側に被写体像を表す画像を表示する液晶表示装置２が設けられている。液晶表示装置２には撮影により得られた被写体像を表示することもできるし、後述するように再生モードにおいて再生される画像を表示することもできる。この液晶表示装置２の右下方には，シャッタ・レリーズ・ボタン３が設けられている。
【００３１】
内面11の左端部には，標準的な解像度よりも低い解像度によって画像データを記録するときにユーザによって押されるプライベート・ボタン５，標準的な解像度によって画像データを記録するときにユーザによって押される第１のビジネス・ボタン６および標準的な解像度よりも高い解像度によって画像データを記録するときにユーザよって押される第２のビジネス・ボタン７が設けられている。
【００３２】
液晶表示装置２の表示面、シャッタ・レリーズ・ボタン３のボタン押し下げ面、プライベート・ボタン５の上面、第１のビジネス・ボタン６の上面および第２のビジネス・ボタン７の上面はそれぞれ内面11の高さよりも低くなっている（内面11の面から突出していない）。
【００３３】
第１の半体１の左側面17には，スライド・スイッチ４が形成されている。このスライド・スイッチ４を操作することにより，記録モード，再生モードおよび出力モードのいずれかのモードが選択される。記録モードは，被写体を撮影し，被写体像を表す画像データをメモリ・カードに記録するときにユーザによって設定されるモードである。再生モードは，メモリ・カードに記録されている画像データによって表される画像を液晶表示装置２に表示するときにユーザによって設定されるモードである。出力モードは，メモリ・カードに記録されている画像データを外部接続端子22から出力するときにユーザによって設定されるモードである。スライド・スイッチ４のつまみは、第１の半体１の左側面17よりも突出している。また、電源スイッチ（図示略）も設けられているのはいうまでもない。もっともスライド・スイッチ４に電源入力の機能をさらにもたせてもよい。
【００３４】
第１の半体11の左側面17には，順送りスイッチ８，逆送りスイッチ９および消去スイッチ10も設けられている。スライド・スイッチ４によって再生モードが設定されているときに、順送りスイッチ３がユーザによって押されることにより，液晶表示装置２に表示されている画像の次の駒の画像を表す画像データが、装着されているメモリ・カードから読み出される。読み出された画像データによって表される画像が液晶表示装置２に表示される。逆送りスイッチ９がユーザによって押されることにより，液晶表示装置２に表示されている画像の一つ前の駒の画像が液晶表示装置２に表示される。消去スイッチ10が押されることにより，液晶表示装置２に表示されている画像を表す画像データが電子カメラに装着されているメモリ・カードから消去される。これらの順送りスイッチ８，逆送りスイッチ９および消去スイッチ10の押し下げ面は、第１の半体１の左側面17よりも低くされている。誤って押されることを未然に防止できる。
【００３５】
第１の半体１のケースの外面14は、中心部では一定であり，自由端13および結合端12に行くにつれ薄くなるように，湾曲している。
【００３６】
第２の半体20のケースの内面（図１に示されている面）31もほぼ平坦に形成されている。この内面31の結合端32側にメモリ・カード表示窓21が形成されている。この窓21には装着されたメモリ・カードを保護するためのガラス板がはめ込められている。第２の半体20の右側面30にはメモリ・カード装着口が形成されており、このメモリ・カード装着口からメモリ・カードが電子カメラに装着される。電子カメラにメモリ・カードが装着されると，この窓21からメモリ・カードを見ることができ，メモリ・カードの存在（装着）を確認できる。窓21の右側には，外部接続端子22が形成されている。この外部接続端子22により電子カメラと，外部の周辺機器（プリンタ、パーソナル・コンピュータなど）とを接続することができる。
【００３７】
さらに，第２の半体20の内面31の自由端33側には，複数の操作キー（図示略）を含む操作部23が形成されている。この操作部23を操作することにより，ユーザは，再生画像の指定など種々の指令を電子カメラに与えることができる。操作部23から与えられた指令は表示装置２上に表示され、その指令を確認することができる。第２の半体20のケースの左端部には，第１の半体１と第２の半体とを容易に開くことができるように内部にへこんでいる凹所24が形成されている。
【００３８】
窓21の面、外部接続端子22の面および操作部23の面はそれぞれ、第２の半体20の一面31の面の高さよりも低くされている。
【００３９】
第２の半体20のケースの自由端33の端面29には撮像レンズ25が形成されている（図３（Ａ），（Ｂ）参照）。
【００４０】
第２の半体20のケースの外面34が，中心部では一定であり，自由端33側および結合端32側に行くにつれ薄くなるように，湾曲している。
【００４１】
図４も参照して、被写体を撮影するときには、図２に鎖線Ｂで示すように、第１の半体１と第２の半体20との角度がほぼ270度またはそれ以上となるように開かれる。撮像レンズが設けられている第２の半体20の端面29を被写体に向けると、第１の半体１の内面11に設けられている表示装置２をユーザが見ることができる。表示装置２に表示されている被写体像を確認しながら、被写体を撮影することができる。ロッド15と中空部16およびロッド15と中空部28とは第１の半体１と第２の半体20とを開閉できる程度にきつくはめ込められており、連続的に任意の角度で第１の半体１と第２の半体20とを位置決めできる。もちろん、段階的に所定の角度でのみ位置決めできるようにしてもよい。第１の半体１のケースの外面14と第２の半体20のケースの外面34とが接するまで、第１の半体１と第２の半体20とを開くことができる。
【００４２】
電子カメラを収納するときには、図２に鎖線Ａで示すように、第１の半体１のケースの内面11と第２の半体20のケースの内面31とが重ね合わさるように閉じる。電子カメラの大きさが小さくなり、携帯に便利となる。
【００４３】
収納時には、第１の半体１のケースの内面11に設けられた機器等（液晶表示装置２など），第２の半体のケースの内面31に設けられた端子等（外部機器接続端子22など）が，内部にかくれるのでこれらの機器等を保護することができる。第１の半体１のケースの外面14および第２の半体20のケースの外面34にはボタン、スイッチ等が設けられていない。第１の半体１と第２の半体20とを閉じたときに誤ってボタン、スイッチ等を押すことを未然に防止できる。もっとも第１の半体１のケースの外面14と第２の半体20のケースの外面34にボタン、スイッチ等を設けても良いのはいうまでもない。
【００４４】
図３(A)は、電子カメラの端面を示し、（Ｂ）は、（Ａ）のIII−III線に沿う断面の一部を示している。
【００４５】
第２の半体20の自由端33の端面29には，その中央部分に内部にへこんだ凹所25Ａが形成されている。この凹所25Ａ内に撮像レンズ25が配置されている。撮像レンズ25は、電子カメラの端面29よりも内部に配置されているので傷付くのを防止できる。撮像レンズ25の右側に，端面29よりもへこんだ段部26Ａが形成されている。この段部26Ａ内にストロボ26が設けられている。ストロボ26は電子カメラの端面29よりも内側に配置されているので，傷つくのを防止できる。
【００４６】
ロッド15内には、第１の半体１に内蔵されている電子回路と第２の半体20に内蔵されている電子回路とを電気的に接続するための信号線（図示略）が通っている。この信号線を通って、第２の半体20に設けられている撮像レンズ25を用いて撮像された被写体像を表す画像データが第２の半体20に内蔵されている電子回路から第１の半体１に内蔵されている電子回路に与えられる。撮像によって得られた被写体像が第１の半体１の表示装置２に表示される。
【００４７】
図４に，撮影時の電子カメラの使用状態が示されている。第１の半体１と第２の半体20とをほぼ270 度程度の角度開くことにより，ユーザは，片手で電子カメラを持つことが容易となる。片手で被写体を撮像することができる。上述したように、第１の半体１の内面11をユーザが見ることができるように電子カメラをもつと撮像レンズ25が被写体の方向に向く。第１の半体１の内面11に設けられているシャッタ・レリーズ・ボタン３を押すことにより被写体が撮像される。シャッタ・レリーズ・ボタン３は，液晶表示装置２が設けられている内面11と同じ面に設けられているから，上述したように液晶表示装置２に表示されている被写体像を確認しながら，シャッタ・レリーズ・ボタン３を押すことができる。
【００４８】
図５および図６は，第１の半体１と第２の半体20とが閉じられた電子カメラにカバー35を掛けた状態を示している。図５は，電子カメラを閉じた状態の端面を示し，図６は，電子カメラを閉じた状態の斜視図である。
【００４９】
閉じられた電子カメラを覆うようにカバー35（ビニール、皮などにより構成されよう）が掛けられている。カバー35は平面から見てほぼ長方形の形状をしている。このカバー35によって第１の半体１の外面12ならびに左側面17、右側面および端面の一部ならびに第２の半体20の外面32ならびに左側面27、右側面28および端面29の一部が覆われる。
【００５０】
カバー35の一部には保護片36がのびている。電子カメラにカバー35が掛けられたときに，電子カメラの端面に形成された凹所25Ａに保護部36が被さる。この保護部36によって凹所25Ａ内にある撮像レンズ25が保護される。また、ストロボ26を保護できるように、ストロボ26を覆うようにカバー35を形成してもよい。さらに、第１の半体１と第２の半体20とが、開いてしまうことを防止するように、保護部36をさらにのばして第２の半体20を覆っている部分にボタン等で留めるようにしてもよい。第１の半体１と第２の半体20とが簡単に開かないように第１の半体１および第２の半体20にロック機構を設けてもよい。
【００５１】
図７は，電子カメラの電気的構成を示すブロック図である。
【００５２】
電子カメラは，メインＣＰＵ40によって全体の動作が統括される。
【００５３】
電子カメラは，被写体像を表す画像データをメモリ・カードに記録すること，メモリ・カードに記録されている画像データを再生して液晶表示装置２に表示すること，画像データを外部に出力することのほかに画像データによって表される画像をプリントするラボラトリの場所を液晶表示装置２上に表示させる機能およびメモリ・カードに電子マネーを記録して現金を持ち歩かずともプリント代金を精算する機能を有している。これらの機能を実現するために電子カメラには，プリント地図表示金銭管理ＣＰＵ51が設けられている。
【００５４】
電子カメラには，バッテリ61が装着され，このバッテリ61によって電子カメラを構成する各回路に電源として供給される。バッテリ61の電圧は，メインＣＰＵ40にも与えられている。メインＣＰＵ40によってバッテリ61のバッテリ・チェックが行われる。
【００５５】
光学レンズ系には，撮像レンズ25のほかに絞りが含まれており，これらの撮像レンズ25，絞りは，ＡＥ，ＡＦ・ＣＰＵ48によって制御される。被写体像は，クロック・ジェネレータＣＧ50によって制御されるＣＣＤ41の受光面上に結像する。被写体像を表す映像信号がＣＣＤ41から出力し，撮像回路42に入力する。撮像回路42において，映像信号の白バランス調整およびガンマ補正が行われる。撮像回路42から出力された映像信号は，アナログ／ディジタル変換回路43に入力し，ディジタル画像データに変換される。
【００５６】
ディジタル画像データは，バッファ・メモリ44から読み出され，順次ＹＣ処理回路46に入力する。ＹＣ処理回路46において，輝度データＹおよび色差データＣが生成され，再びバッファ・メモリ44に一時的に記憶される。輝度データＹおよび色差データＣは，圧縮伸長回路45においてデータ圧縮され，カード・インターフェイス47を介してメモリ・カード60に与えられることにより記録される。
【００５７】
液晶表示装置２に被写体像が表示されるときには，画像データは圧縮伸長回路45を単に通過してメインＣＰＵ40を介して液晶表示装置２に与えられる。
【００５８】
電子カメラには，地図データ発生装置54が含まれている。この地図データ発生装置54により，液晶表示装置２上に表示される地図を表す地図データが発生する。地図データは，地図データ発生装置54にあらかじめ記憶されていても良いし，地図データ発生装置54とは別個の携帯可能な磁気ディスク，光ディスク，光磁気ディスクに記録されている地図データを読み取るようにしてもよい。
【００５９】
地図データ発生装置54によって発生した地図データは，地図・プリント・ワーク・メモリ52に与えられ，一時的に記憶される。プリント地図表示金銭管理ＣＰＵ51によって，ワーク・メモリ52から地図データが読み出される。地図データはメインＣＰＵ40を介して液晶表示装置２に与えられる。液晶表示装置２上に地図が表示される。
【００６０】
電子カメラは，ＧＰＳ（Global Positioning System） 受信機57も備えている。このＧＰＳ受信機57によって人工衛星から送信される、人工衛星と電子カメラまでの距離を表す信号が受信される。受信した信号にもとづいて電子カメラにおいて、電子カメラの存在する現在位置が算出される。電子カメラの現在位置が分かると，液晶表示装置２上に表示されている地図上に電子カメラの存在する現在位置が表示される。
【００６１】
上述したように電子カメラには，ストロボ26が設けられている。このストロボ26のストロボ・コンデンサの充電およびストロボの発光を制御するために充電発光制御回路49が設けられている。
【００６２】
さらに，電子カメラは，プリンタ62を接続することが可能であり，このためにプリンタ・インターフェイス53が設けられている。
【００６３】
図８は，メモリ・カード60のファイル構成を示している。
【００６４】
メモリ・カードには，認証番号エリア，残高情報エリア，ファイル・ディレクトリ・エリア，ファイル・アロケーション・テーブル，画像データ・エリア，残高履歴エリアおよびラボラトリＩＤエリアが含まれている。
【００６５】
認証番号エリアは，ユーザに固有の認証番号が暗号化されて記憶されているエリアである。残高情報エリアは，後述のようにユーザの預貯金から引き出すことが可能な金額の残高を表すデータが記憶されているエリアである。認識番号エリアに記憶されている認証番号を表わすデータと残高情報エリアに記憶されている残高を表わすデータとが電子マネーを構成する。ファイル・ディレクトリ・エリアは，後述する画像データ・エリアおよび残高履歴エリアの先頭アドレスを記憶するエリアである。ファイル・アロケーション・テーブルは，後述する画像データ・エリアおよび残高履歴エリアの配置を表すデータを記憶するエリアである。画像データ・エリアは，撮像によって得られた画像データを記憶するエリアである。残高履歴エリアは，残高情報エリアに記憶された残高情報の履歴を暗号化して記憶するエリアである。ラボラトリＩＤエリアは，ラボラトリ固有のＩＤを記憶するエリアである。
【００６６】
図９は，電子カメラの液晶表示装置２に表示される地図の一例を示している。図10は，電子カメラの液晶表示装置２に地図を表示するときの処理手順を示すフローチャートである。
【００６７】
上述のように電子カメラの第１の半体１と第２の半体20とが開かれ，電子カメラの電源がオンとされ，スライド・スイッチが記録モードに設定されることにより記録モードとなる（ステップ61）。シャッタ・レリーズ・ボタン３が押されると，被写体が撮像され，被写体像を表す画像データが得られ，上述のように圧縮画像データがメモリ・カード60に記録される（ステップ63）。
【００６８】
撮像によって得られた画像データにより表される画像をプリントするときには，ユーザによって電子カメラの操作部23が操作され，プリント注文の設定が行なわれる（ステップ64）。すると，人工衛星から送られるデータにもとづいて，ＧＰＳ受信機57によって電子カメラの現在の位置が検出される（ステップ65）。
【００６９】
地図データ発生装置54により地図データが発生され，または地図データが読み取られることにより地図データが得られる。得られた地図データにもとづいて，液晶表示装置２上に地図が表示される（ステップ66）。電子カメラの現在位置に近い場所にあるラボラトリが検索される（ステップ67）。検索により見つかったラボラトリが，液晶表示装置２に表示されている範囲内になければ（ステップ68でＮＯ），液晶表示装置２に表示されている地図が縮小される（ステップ69）。液晶表示装置２には，広範囲の場所が表示されるようになり，電子カメラの存在する位置から少し遠い場所にあるラボラトリまで液晶表示装置２に表示されている地図に現れる。
【００７０】
液晶表示装置２に表示されている地図上にラボラトリが現れると，そのラボラトリまでの経路が，地図上に表示される（ステップ70）。ユーザは，地図上に現れたラボラトリを見て画像をプリントするのに便利なラボラトリを選択する（ステップ71）。この選択は，電子カメラに設けられている操作部23を利用して行っても良いし，液晶表示装置２上にタッチパネルが形成されているときには，液晶表示装置２に表示されている所望のラボラトリ上をタッチすることにより行っても良い。
【００７１】
ラボラトリが選択されると，そのラボラトリのＩＤがメモリ・カードに記録される（ステップ72）。ラボラトリのＩＤは，地図データに関連して地図データ発生装置54から得られる。
【００７２】
電子カメラの液晶表示装置２上に電子カメラの存在する現在位置に近いラボラトリを表示することができるので，外出先であっても所望のラボラトリで撮像によって得られた画像データによって表される画像をプリントすることができる。
【００７３】
図11は，電子カメラに装着されるメモリ・カードの残高情報エリアに記録されている残高を更新する様子を示している。図12は，電子カメラに装着されるメモリ・カードの残高情報エリアに記録されている残高を更新する手順を示すフローチャートである。
【００７４】
メモリ・カードが銀行のオンライン端末装置80に接続される（ステップ91）。すると，オンライン端末装置80によりユーザの認証番号を入力するように要求される（ステップ92）。認証番号が入力されると，認証番号を表すデータがオンライン端末装置80から銀行のホスト・コンピュータに送信される（ステップ93）。
【００７５】
銀行のホスト・コンピュータにおいて，認証番号が認証されると（ステップ94でＹＥＳ），ユーザがその銀行に有する口座から引き出しても良い金額がオンライン端末装置80に入力される（ステップ96）。金額がオンライン端末装置80に入力されると，入力された金額以上の金額がユーザの預金口座に残っているかどうかが確認される。入力金額以上の金額がユーザの預金口座に残っていることが確認されると，入力金額を表すデータが暗号化されて（ステップ97），メモリ・カード60の残高情報エリアに記録される（ステップ98）。残高情報エリアの残高が更新される。
【００７６】
メモリ・カード60の残高情報エリアに書き込まれた残高が０を表すようになるまで，メモリ・カード60を使用して代金を精算できる。
【００７７】
図13は，図11および図12に示すようにしてメモリ・カードに記録された金額を表わすデータを用いて代金を精算する場合の処理の流れを示している。図14は，図13に示す処理の流れを示すフローチャートである。この処理においては，プリント代金を精算する例を示している。
【００７８】
ラボラトリには，注文受付装置91が置かれている。ラボラトリを統括するホスト・プリント店があり，このホスト・プリント店に中央印刷サーバ92が置かれている。注文受付装置91と中央印刷サーバ92とは互いに通信可能である。
【００７９】
プリントする画像を表す画像データが記録されているメモリ・カード60を電子カメラに装着して，注文受付装置91を有するラボラトリに持っていく。電子カメラと注文受付装置91とが互いに通信可能に，たとえばケーブルで接続される。
【００８０】
電子カメラによって，メモリ・カード60に記録されているユーザの認証番号が読み出され，電子カメラから注文受付装置91に送信される（ステップ101）。 認証番号を表すデータは，注文受付装置92から中央印刷サーバ92を介して銀行のホスト・コンピュータに送信される。銀行のホスト・コンピュータにおいて，認証番号が認証されると，その旨を表すデータが銀行のホスト・コンピュータから中央印刷サーバ92を介して注文受付装置91に送信される。
【００８１】
認証番号が認証されると（ステップ 121でＹＥＳ），認証ＯＫの旨を表すデータが注文受付装置から電子カメラに送信される（ステップ 123）。認証番号が認証されないと（ステップ 121でＮＯ），認証ＮＧを表すデータが注文受付装置91から電子カメラに送信される（ステップ 122）。
【００８２】
認証ＮＧを表すデータを電子カメラが受信すると（ステップ 102でＮＯ），電子カメラの液晶表示装置２上に，電子カメラに装着されているメモリ・カードを用いてプリント代金の精算はできないことを示す使用不可が表示される（ステップ 103）。
【００８３】
認証ＯＫを表すデータを電子カメラが受信すると（ステップ 102でＹＥＳ），認証ＯＫが電子カメラの液晶表示装置２に表示される（ステップ 105）。ユーザは，電子カメラに装着されているメモリ・カードを用いてプリント代金の精算で可能であることを認識できる。
【００８４】
駒送りボタン８および駒戻しボタン９を用いてプリントすべき画像が選択される（ステップ 105）。プリントすべき画像が見つかると，そのプリント枚数が操作部23を用いて入力される（ステップ 106）。プリントすべきすべての画像についてプリント枚数が入力される。
【００８５】
操作部23からプリント実行指令が入力されると（ステップ 107），プリント画像を表す画像データ，そのプリント画像のプリント枚数を表すデータおよびラボラトリＩＤが電子カメラから注文受付装置91に送信される（ステップ 108）。注文受付装置91において，プリント画像を表すデータ，プリント枚数を表すデータ，およびラボラトリＩＤが受信されると（ステップ 124），受信したプリント画像を表すデータ，プリント枚数を表すデータ，ラボラトリＩＤならびに認証番号を表すデータが中央印刷サーバ92に送信される（ステップ 125）。
【００８６】
中央印刷サーバ92において，プリント画像を表すデータ，プリント枚数を表すデータ，ラボラトリＩＤ，認証番号を表すデータが受信されると，プリント代金が算出される。算出されたプリント代金を表すデータが中央印刷サーバ92からラボラトリＩＤによって指定されるラボラトリの注文受付装置91に送信され（ステップ 132），さらに電子カメラに送信される（ステップ 126）。
【００８７】
電子カメラにおいて，プリント代金を表すデータが受信されると（ステップ109 ），メモリ・カードの残高情報エリアが参照され，メモリ・カードによってプリント代金を精算できるかどうか，すなわち，プリント代金がメモリ・カードの残高情報エリアに記録されている残高以下かどうかが判断される（ステップ 110）。
【００８８】
プリント代金が残高以下であれば（ステップ 110でＹＥＳ，残高ＯＫ）支払い許可を示すデータが電子カメラから注文受付装置91に送信される。メモリ・カード60の残高情報エリアに記録されている残高が，記録されていた残高からプリント代金を差し引いた残りの額に更新される（ステップ 112）。プリント代金が残高を超えていれば（ステップ 110でＮＯ），残高不足の警告が電子カメラの液晶表示装置２に表示される（ステップ 111）。メモリ・カード60を用いてプリント代金の精算はできないこととなる。
【００８９】
支払い許可を示すデータが電子カメラから注文受付装置に送信されると，その支払い許可を示すデータは注文受付装置91から中央印刷サーバ92にさらに送信される（ステップ 127）。
【００９０】
中央印刷サーバ92において，支払い許可を示すデータが受信されると（ステップ 133），ホストのラボラトリに置かれている高画質プリンタ93を用いて画像がプリントされる（ステップ 134）。プリント画像は，ホスト・プリント店からユーザの自宅に配達されることとなる。
【００９１】
また，認証番号，プリント代金，支払い許可およびラボラトリＩＤをそれぞれ表すデータが中央印刷サーバ92から銀行のホスト・コンピュータに送信される（ステップ 135）。
【００９２】
銀行のホスト・コンピュータにおいては，中央印刷サーバ92から送信される認証番号によって指定された口座からプリント代金が引き出され，ラボラトリＩＤによって特定されるラボラトリの口座に振り込まれる。これにより，プリント代金の精算が実行される。ユーザが現金を持ち合わせて無くともプリント代金を精算することができる。
【００９３】
上述の実施例においては，メモリ・カード60を電子カメラに装着し，電子カメラと注文受付装置91との間において通信しているが，メモリ・カード60を注文受付装置91に装着し，注文受付装置91によってメモリ・カード60に記憶されているデータを読取り，中央印刷サーバ92に送信するようにしてもよい。
【００９４】
さらに，電子マネー決済においては改竄を防ぐために電子署名が行なわれるのはいうまでもない。
【図面の簡単な説明】
【００９５】
【図１】電子カメラの平面図である。
【図２】電子カメラの左側面図である。
【図３】(A) は電子カメラの端面を示し，(B) は図３(A) のIII −III線に沿う断面の一部である。
【図４】電子カメラの使用状態を示している。
【図５】電子カメラにカバーを掛けて収納した状態を示す正面図である。
【図６】電子カメラにカバーを掛けて収納した状態を示す斜視図である。
【図７】電子カメラの電気的構成を示すブロック図である。
【図８】メモリ・カードのファイル構成を示している。
【図９】電子カメラの液晶表示装置の表示例を示している。
【図１０】電子カメラの液晶表示装置に地図を表示するときの処理手順を示すフローチャートである。
【図１１】メモリ・カードに電子マネーを記憶する処理の流れを示している。
【図１２】メモリ・カードに電子マネーを記憶する処理手順を示すフローチャートである。
【図１３】メモリ・カードを用いてプリント代金を精算する処理の流れを示している。
【図１４】メモリ・カードを用いてプリント代金を精算するときの電子カメラの処理手順を示すフローチャートである。
【図１５】メモリ・カードを用いてプリント代金を精算するときの注文受付装置の処理手順を示すフローチャートである。
【図１６】メモリ・カードを用いてプリント代金を精算するときの中央印刷サーバの処理手順を示すフローチャートである。
【符号の説明】
【００９６】
１  第１の半体
２  液晶表示装置
３  シャッタ・レリーズ・ボタン
11  第１の半体の内面
20  第２の半体
23  操作器
31  第２の半体の内面
40  メインＣＰＵ
51  プリント地図表示金銭管理ＣＰＵ
54  地図データ発生装置
57  ＧＰＳ受信機
60  メモリ・カード
【図１】
2006230005.tif 000003
【図２】
2006230005.tif 000004
【図３】
2006230005.tif 000005
【図４】
2006230005.tif 000006
【図５】
2006230005.tif 000007
【図６】
2006230005.tif 000008
【図７】
2006230005.tif 000009
【図８】
2006230005.tif 000010
【図９】
2006230005.tif 000011
【図１０】
2006230005.tif 000012
【図１１】
2006230005.tif 000013
【図１２】
2006230005.tif 000014
【図１３】
2006230005.tif 000015
【図１４】
2006230005.tif 000016
【図１５】
2006230005.tif 000017
【図１６】
2006230005.tif 000018